(57)【要約】【課題】  変換式装飾パターンを具えた掛け時計の提供。【解決手段】  掛け時計の文字盤にそれぞれが複数の平行線條で組成された第１パターンと第２パターンが設けられ、奇数線條で第１パターンが構成され、偶数線條で第２パターンが構成され、各線條に所属のパターンに応じた絵が描かれ、別に掛け時計の座体に透明板が設けられ、該透明板に複数の平行な凹凸條紋が設けられ、該掛け時計の座体と文字盤に対応する位置決め柱と位置決め溝が設けられ、座体下方に駆動装置が設けられ、該駆動装置はモータ、主動歯車、減速歯車、従動歯車を具え偏心軸スリーブを駆動して回転させ、駆動装置により文字盤が上下に移動させられて文字盤上の第１及び第２パターンの平行線條がゆっくりと透明板の凹凸條紋に整合し、該凹凸條紋の陰影が発生する遮蔽効果により、第１及び第２パターンが変換される。【選択図】        図２
0003105421.tif 000002
【実用新案登録請求の範囲】
【請求項１】
座体、ムーブメント装置、文字盤、透明板、駆動装置、ケース、ガラスを具え、該文字盤に第１パターンと第２パターンが設けられ、該第１パターンは複数の平行な奇数線條で構成され、該第２パターンは複数の平行な偶数線條で構成され、該透明板に複数の平行な凹凸條紋が設けられ、該駆動装置は一定の速度で文字盤を駆動して往復移動させ、第１パターンの奇数線條が透明板の凹凸條紋の陰影に遮蔽される時、文字盤に第２パターンの偶数線條が現出し、反対に第２パターンの偶数線條が透明板の凹凸條紋の陰影に遮蔽される時、文字盤に第１パターンの奇数線條が現出するよう形成されたことを特徴とする、変換式装飾パターンを具えた掛け時計。
【請求項２】
請求項１記載の変換式装飾パターンを具えた掛け時計において、文字盤は固定されて不動で、駆動装置が一定の速度で透明板を駆動して往復移動させることを特徴とする、変換式装飾パターンを具えた掛け時計。
【請求項３】
請求項１記載の変換式装飾パターンを具えた掛け時計において、座体に文字盤より大きい収容溝が設けられ、該収容溝と文字盤に対応する位置決め柱と位置決め溝が設けられ、該収容溝の周囲に透明板を収容するための肩部が設けられ、該文字盤と透明板のムーブメント装置に対応する部分に長孔と円孔が設けられ、別に座体に駆動装置を収容する溝座が設けられたことを特徴とする、変換式装飾パターンを具えた掛け時計。
【請求項４】
請求項３記載の変換式装飾パターンを具えた掛け時計において、駆動装置が上座、下座、モータ、主動歯車、複数の減速歯車、従動歯車、偏心軸スリーブを具え、文字盤に偏心軸スリーブが挿入される作動孔が設けられ、該偏心軸スリーブが作動孔中で偏心円周運動して文字盤を駆動して往復運動させることを特徴とする、変換式装飾パターンを具えた掛け時計。
【考案の詳細な説明】
【技術分野】
【０００１】
本考案は変換式装飾パターンを具えた掛け時計に係り、更に詳しくは、掛け時計の文字盤に複数の平行な奇数及び偶数の線條で構成された第１パターンと第２パターンが設けられ、掛け時計の座体に透明板と駆動装置が設けられ、該透明板に複数の平行な凹凸條紋が設けられ、該駆動装置が文字盤を駆動して上下に移動させ、第１パターンの奇数線條が凹凸條紋の陰影により遮蔽される時、文字盤に第２パターンの偶数線條が現出し、反対も同様であり、これにより文字盤のパターンを変換できる掛け時計に関する。
【背景技術】
【０００２】
周知の掛け時計は美しい外観造形により消費者の購入意欲をかき立て、なかには動作する玩具が組み合わされて動態の視覚効果を増して消費者の購入意欲を刺激するようにしたものもある。しかし静態の外観のものも、動態の玩具が組み合わされたものも、周知の掛け時計の文字盤には一種類のパターンしか設けられておらず、長期に目にすると新鮮感が失われる。これが周知の技術の解決を要する問題と欠点である。
【考案の開示】
【考案が解決しようとする課題】
【０００３】
本考案は従来の掛け時計の問題と欠点を解決する一種の変換式装飾パターンを具えた掛け時計を提供することを目的としている。
【０００４】
本考案の変換式装飾パターンを具えた掛け時計は、活動式の文字盤と固定された透明板を具え、該文字盤に奇数條線で構成された第１パターンと偶数線條で構成された第２パターンが設けられ、該透明板に複数の平行な凹凸條紋が設けられ、該文字盤は駆動装置により駆動されて上下に移動し、第１パターンの奇数線條が凹凸條紋の陰影により遮蔽される時、文字盤に第２パターンの偶数線條が現出し、反対に第２パターンの偶数線條が凹凸條紋の陰影により遮蔽される時、文字盤に第１パターンの奇数線條が現出し、文字盤の第１及び第２パターンの変換により、アクティブな視覚効果を提供し、新鮮感を増すことができるものとする。
【課題を解決するための手段】
【０００５】
請求項１の考案は、座体、ムーブメント装置、文字盤、透明板、駆動装置、ケース、ガラスを具え、該文字盤に第１パターンと第２パターンが設けられ、該第１パターンは複数の平行な奇数線條で構成され、該第２パターンは複数の平行な偶数線條で構成され、該透明板に複数の平行な凹凸條紋が設けられ、該駆動装置は一定の速度で文字盤を駆動して往復移動させ、第１パターンの奇数線條が透明板の凹凸條紋の陰影に遮蔽される時、文字盤に第２パターンの偶数線條が現出し、反対に第２パターンの偶数線條が透明板の凹凸條紋の陰影に遮蔽される時、文字盤に第１パターンの奇数線條が現出するよう形成されたことを特徴とする、変換式装飾パターンを具えた掛け時計としている。
請求項２の考案は、請求項１記載の変換式装飾パターンを具えた掛け時計において、文字盤は固定されて不動で、駆動装置が一定の速度で透明板を駆動して往復移動させることを特徴とする、変換式装飾パターンを具えた掛け時計としている。
請求項３の考案は、請求項１記載の変換式装飾パターンを具えた掛け時計において、座体に文字盤より大きい収容溝が設けられ、該収容溝と文字盤に対応する位置決め柱と位置決め溝が設けられ、該収容溝の周囲に透明板を収容するための肩部が設けられ、該文字盤と透明板のムーブメント装置に対応する部分に長孔と円孔が設けられ、別に座体に駆動装置を収容する溝座が設けられたことを特徴とする、変換式装飾パターンを具えた掛け時計としている。
請求項４の考案は、請求項３記載の変換式装飾パターンを具えた掛け時計において、駆動装置が上座、下座、モータ、主動歯車、複数の減速歯車、従動歯車、偏心軸スリーブを具え、文字盤に偏心軸スリーブが挿入される作動孔が設けられ、該偏心軸スリーブが作動孔中で偏心円周運動して文字盤を駆動して往復運動させることを特徴とする、変換式装飾パターンを具えた掛け時計としている。
【考案の効果】
【０００６】
本考案によると、掛け時計の文字盤にそれぞれが複数の平行線條で組成された第１パターンと第２パターンが設けられ、奇数線條で第１パターンが構成され、偶数線條で第２パターンが構成され、各線條に所属のパターンに応じた絵が描かれ、別に掛け時計の座体に透明板が設けられ、該透明板に複数の平行な凹凸條紋が設けられ、該掛け時計の座体と文字盤に対応する位置決め柱と位置決め溝が設けられ、座体下方に駆動装置が設けられ、該駆動装置はモータ、主動歯車、減速歯車、従動歯車を具え偏心軸スリーブを駆動して回転させ、駆動装置により文字盤が上下に移動させられて文字盤上の第１及び第２パターンの平行線條がゆっくりと透明板の凹凸條紋に整合し、該凹凸條紋の陰影が発生する遮蔽効果により、第１及び第２パターンが変換される。
【考案を実施するための最良の形態】
【０００７】
図１、２は本考案の立体組合せ図、及び立体分解図である。図３は本考案の文字盤の平面図、図４は本考案の右側面断面組合せ図である。本考案の掛け時計１は、座体１０、ムーブメント装置２０、文字盤３０、透明板４０、駆動装置５０、ケース６０、ガラス７０で構成されている。
【０００８】
該座体１０はその表面に収容溝１１が設けられ、該収容溝１１に文字盤３０が収容され、該収容溝１１の上、下に上、下位置決め柱１２、１３が設けられ、該収容溝１１の周囲内部に肩部１４が設けられ、透明板４０を収容し、該収容溝１１の周囲上部に位置決めフック１５が設けられ、該透明板４０を固定し、該収容溝１１の下方に溝座１６が設けられて駆動装置５０が設置される。
【０００９】
該ムーブメント装置２０は座体１０背面に設置され、並びに電源装置２１により必要な電力が供給され、該ムーブメント装置２０のムーブメント２２は座体１０、文字盤３０、透明板４０を貫通し、且つムーブメント２２に各指針２３が取付られる。
【００１０】
該文字盤３０は複数の平行な奇数線條３１１で構成された第１パターン３１と、複数の平行な偶数線條３２１で構成された第２パターン３２を具え、該文字盤３０に時間数字３３が文字盤３０、該文字盤３０の中心に長孔３４が設けられ、該文字盤３０の上、下に上、下位置決め板３５、３６と位置決め溝３５１、３６１が設けられ、これにより座体１０の位置決め柱１２、１３中に位置決めされ、該文字盤３０の下位置決め板３６の駆動装置５０に対応する部分に横向きの作動孔３７が設けられている。
【００１１】
該透明板４０の中心には円孔４１が設けられ、該透明板４０の上方に逃し溝４２が設けられ、該透明板４０は座体１０の収容溝１１の肩部１４に係止され、並びに収容溝１１の周囲の位置決めフック１５により固定され、該透明板４０の表面に文字盤３０の複数の奇数線條３１１と偶数線條３２１と平行な凹凸條紋４３が設けられている。
【００１２】
図５の本考案の駆動装置の立体分解図も参照されたい。駆動装置５０は上座５１、下座５２、モータ５３、主動歯車５４、二つの減速歯車５５、５６、従動歯車５７、偏心軸スリーブ５８を具えている。該上座５１と下座５２は座体１０の溝座１６に設置され、該下座５２内部にモータ５３、主動歯車５４、二つの減速歯車５５、５６、従動歯車５７が設けられ、モータ５３の動力は主動歯車５４より二つの減速歯車５５、５６に伝えられ、二つの減速歯車５５、５６により減速された後に従動歯車５７に伝えられ、従動歯車５７の回転軸５７１が上座５１より突出し、該偏心軸スリーブ５８に設けられた偏心孔５８１が従動歯車５７の回転軸５７１に嵌合され、該偏心軸スリーブ５８が偏心回転し、該偏心軸スリーブ５８の上部にフランジ５８２が設けられて、該フランジ５８２が文字盤３０の下位置決め板３６の作動孔３６に制限される。
【００１３】
該ケース６０は座体１０外部を被覆し、該ケース６０の文字盤３０と透明板４０に対応する部分に貫通する孔６１が設けられている。
【００１４】
該ガラス７０は該ケース６０の孔６１中に取付られる。
【００１５】
以上の各部品構造が組み合わされて本考案が形成され、それは変換式装飾パターンを具えた掛け時計を提供するものであり、実際の操作応用は以下のようである。
【００１６】
図６、７は本考案の第１及び第２パターン現出の状態表示図である。本考案の提供する掛け時計１は駆動装置５０の偏心軸スリーブ５８のゆっくりとした偏心運転を利用し、文字盤３０下方の対応する作動孔３７を駆動し、文字盤３０を上、下位置決め柱１２、１３に沿って移動させ、文字盤３０の第１パターン３１の奇数線條３１１が透明板４０の凹凸條紋４３の位置に合う時、該凹凸條紋４３の陰影により第２パターン３２の偶数線條３２１を遮蔽し、文字盤３０に第１パターン３１を現出させ、反対も同様であり、これにより、文字盤３０に第１パターン３１と第２パターン３２の変換のアクティブ効果を達成させる。
【００１７】
本考案の変換式装飾パターンを具えた掛け時計は、実際に完成し反復試験を行なったところ、本考案の予期された作用効果を達成することが実証された。ゆえに実用性、進歩性の実用新案登録の要件を具備し、また本考案の構造はこれまでにはなく新規性を有し、また産業上の利用価値を具備している。
【図面の簡単な説明】
【００１８】
【図１】本考案の立体組合せ図である。
【図２】本考案の立体分解図である。
【図３】本考案の文字盤の平面図である。
【図４】本考案の右側面断面組合せ図である。
【図５】本考案の駆動装置の立体分解図である。
【図６】本考案の第１パターン現出の状態表示図である。
【図７】本考案の第２パターン現出の状態表示図である。
【符号の説明】
【００１９】
１  掛け時計
１０  座体                        １１  収容溝
１２  上位置決め柱                １３  下位置決め柱
１４  肩部                        １５  位置決めフック
１６  溝座
２０  ムーブメント装置            ２１  電源装置
２２  ムーブメント                ２３  指針
３０  文字盤                      ３１  第１パターン
３１１  奇数線條                  ３２  第２パターン
３２１  偶数線條                  ３３  時間数字
３４  長孔                        ３５  上位置決め板
３５１  位置決め溝                ３６  下位置決め板
３６１  位置決め溝                ３７  作動孔
４０  透明板                      ４１  円孔
４２  逃し溝                      ４３  凹凸條紋
５０  駆動装置                    ５１  上座
５２  下座                        ５３  モータ
５４  主動歯車                    ５５  減速歯車
５６  減速歯車                    ５７  従動歯車
５７１  回転軸                    ５８  偏心軸スリーブ
５８１  偏心孔                    ５８２  フランジ
６０  ケース                      ６１  孔
７０  ガラス
【図１】
0003105421.tif 000003
【図２】
0003105421.tif 000004
【図４】
0003105421.tif 000005
【図５】
0003105421.tif 000006
【図６】
0003105421.tif 000007
【図７】
0003105421.tif 000008
【図３】
0003105421.tif 000009